(57)【要約】【課題】時間制限のある撮影プレイの写真撮影により、撮影プレイの時間を延長したりすことなく、撮影枚数及び撮影内容の両面からユーザに十分な満足感を与える。【解決手段】コントローラ部１００のＣＰＵ１０１、撮影制御処理部１０６により、撮影プレイの全撮影時間を区切って設定された通常撮影時間内に通常撮影機能を動作し、撮影コースや明るさ等のユーザ選択撮影条件で被写体撮影を行ない、通常撮影機能の撮影終了から撮影プレイの終了までの残りの特別撮影時間に特別撮機能を動作して所定撮影条件で被写体撮影を行ない、撮影プレイの全撮影時間を延長したりすることなく、撮影枚数を増やしてその点からの満足感をユーザに与えるとともに、特別撮影時間の撮影によって思いがけない写真が得られるようにして撮影内容の点からもユーザに十分な満足感を与える。【選択図】図１
2006317655.tif 000002
【特許請求の範囲】
【請求項１】
コイン投入に基づく時間制限された撮影プレイの開始により、前記撮影プレイの全撮影時間を区切って設定された通常撮影時間内に、選択された撮影コースや明るさ等のユーザ選択撮影条件で被写体撮影を行なう通常撮影機能と、
前記通常撮影機能の撮影終了から前記撮影プレイの終了までの残りの特別撮影時間に、設定した所定撮影条件で被写体撮影を行なう特別撮影機能とを備えたことを特徴とする写真シール払出装置。
【請求項２】
前記通常撮影機能の被写体撮影が、前記通常撮影時間の経過、設定回数の撮影終了の少なくともいずれか一方に基づいて終了することを特徴とする請求項１記載の写真シール払出装置。
【請求項３】
前記特別撮影機能の前記所定撮影条件が、前記ユーザ選択撮影条件の選択範囲外の撮影条件であることを特徴とする請求項１または２に記載の写真シール払出装置。
【請求項４】
コイン投入に基づく時間制限された撮影プレイの開始により、前記撮影プレイの全撮影時間を区切って設定された通常撮影時間内に、選択された撮影コースや明るさ等のユーザ選定撮影条件での被写体撮影に制御し、
前記通常撮影機能の撮影終了から前記撮影プレイの終了までの残りの特別撮影時間に、設定した所定撮影条件での被写体撮影に制御する写真シール払出装置の制御方法。
【発明の詳細な説明】
【技術分野】
【０００１】
この発明は、コインを投入することにより時間制限された撮影プレイを開始し、このプレイによって撮影した被写体の画像の写真シールを払い出す写真シール払出装置及びその制御方法に関し、詳しくは、前記撮影プレイの撮影に関するものである。
【背景技術】
【０００２】
従来、プリントクラブと称されるこの種の写真シール払出装置は、コイン投入により起動されて時間制限された撮影プレイを開始し、この撮影プレイにおいて、撮影案内メッセージにしたがって撮影コースや明るさ等の撮影条件が選定されることにより、デジタルカメラ等の撮影カメラの前でポーズをとったりしているユーザ（１人あるいは友人同士等の複数人）を、選択された撮影条件の背景や照明で撮影する。
【０００３】
その後、落書きプレイに移行し、撮影プレイで撮影された被写体（ユーザ）画像に、タッチペン等による描画やスタンプ、シールの貼り付け等の画像編集が施されると、この画像編集後の画像をシール台紙に印刷して払い出すようになっている（例えば、特許文献１参照）。
【０００４】
なお、この種の写真シール払出装置には、撮影プレイと落書きプレイとを１つのブースで行なうようにしたものや、撮影プレイと落書きプレイとを別々のブースで行なうようにしたものがある。
【０００５】
【特許文献１】特開２００３−１２５３４８号公報（段落「００４８」〜「００５３」、図１〜図３）
【発明の開示】
【発明が解決しようとする課題】
【０００６】
前記特許文献１等に記載の従来のこの種の写真シール払出装置は、つぎに説明するように、撮影プレイにおいて、限られた時間内に十分に満足のいく撮影が行なえない場合もある。
【０００７】
すなわち、この種の写真シール払出装置は、撮影プレイの開始から落書きプレイの終了までの一連のゲーム時間が決まっているだけでなく、通常、ブース内での撮影可能時間あるいは撮影可能枚数がユーザに予め示され、前記の一連のゲーム時間内の撮影プレイの時間も、前記の撮影可能な時間あるいは枚数によって予め決められている。
【０００８】
また、撮影プレイの撮影条件は、通常、ユーザに階層的に選択させるようになっており、その一例は、最初に「キレイコース」、「テーマコース」、「音楽コース」等の撮影コースの選択を行なわせ、その後、例えば「キレイコース」が選択されたときは「明るさ」、「カーテン」の順に下層の条件選択を行なわせ、「テーマコース」が選択されたときは「テーマジャンル」、「撮影テーマ」の順に下層の条件選択を行なわせ、「音楽コース」が選択されたときは「バックグランドミュージック（ＢＧＭ）」、「撮影テーマ」の順の下層の条件選択を行なわせるようになっている。
【０００９】
そして、撮影コースは撮影プレイの最初にしか選択することができず、途中で変更することができないため、撮影プレイの撮影条件の大枠が最初に選択した撮影コースによってほぼ固定され、そのプレイ中には、他の撮影コースの撮影は体験することができない。
【００１０】
そのため、撮影コースの選択によっては、必ずしも期待した満足のいく撮影内容の写真が得られるとは限らない。
【００１１】
また、不慣れなユーザ等は、撮影条件の前記の階層構造の選択に時間がかかって撮影プレイの時間内の撮影可能枚数が少なくなるだけでなく、所望の撮影条件を階層的に選択して設定すること自体容易でなく、その結果、少ない枚数しか撮影できず、撮影枚数の点から満足感が得られない問題もある。
【００１２】
本発明は、この種の写真シール払出装置において、時間制限のある撮影プレイの写真撮影により、撮影プレイの時間を延長したりすことなく、撮影枚数及び撮影内容の両面からユーザに十分な満足感を与えることを目的とする。
【課題を解決するための手段】
【００１３】
上記した目的を達成するために、本発明の写真シール払出装置は、コイン投入に基づく時間制限された撮影プレイの開始により、この撮影プレイの全撮影時間を区切って設定された通常撮影時間内に、選択された撮影コースや明るさ等のユーザ選択撮影条件で被写体撮影を行なう通常撮影機能と、前記通常撮影機能の撮影終了から撮影プレイの終了までの残りの特別撮影時間に、設定した所定撮影条件で被写体撮影を行なう特別撮影機能とを備えたことを特徴としている（請求項１）。
【００１４】
また、本発明の写真シール払出装置は、前記通常撮影機能の被写体撮影が、前記通常撮影時間の経過、設定回数の撮影終了の少なくともいずれか一方に基づいて終了することを特徴としている（請求項２）。
【００１５】
さらに、本発明の写真シール払出装置は、前記特別撮影機能の前記所定撮影条件が、前記ユーザ選択撮影条件の選択範囲外の撮影条件であることを特徴としている（請求項３）。
【００１６】
つぎに、本発明の写真シール払出装置の制御方法は、コイン投入に基づく時間制限された撮影プレイの開始により、この撮影プレイの全撮影時間を区切って設定された通常撮影時間内に、選択された撮影コースや明るさ等のユーザ選定撮影条件での被写体撮影に制御し、前記通常撮影機能の撮影終了から撮影プレイの終了までの残りの特別撮影時間に、設定した所定撮影条件での被写体撮影に制御することを特徴としている（請求項４）。
【発明の効果】
【００１７】
請求項１、４に記載の本発明によれば、コイン投入に基いて開始される時間制限のある撮影プレイにおいて、撮影プレイの全撮影時間を区切って設定された通常撮影時間内には、従来と同様のユーザ自身が選択した撮影条件（ユーザ選択撮影条件）で被写体撮影が行なわれ、さらに、この撮影が終了しても、撮影プレイの終了までの特別撮影時間には設定された所定撮影条件で被写体撮影が行なわれる。
【００１８】
この場合、不慣れなユーザ等であって通常撮影時間内の撮影回数（撮影枚数）が少なくても、残りの特別撮影時間に必ず所定撮影条件の撮影が行なわれて撮影枚数が増え、ユーザ自身が積極的に条件設定して撮影した枚数を上回る枚数の撮影写真（撮影画像）を得ることができるため、撮影プレイの時間を延長したりすることなく、撮影枚数の点からの満足感をユーザに与えることができる。しかも、特別撮影時間の撮影によって思いがけない写真を得ることができるため、撮影内容の点からもユーザに十分な満足感を与えることができる。
【００１９】
つぎに、請求項２に記載の本発明によれば、前記通常撮影時間内の被写体撮影が、その通常撮影時間の経過、あるいは、前記通常撮影時間内に予定される回数（設定回数）の撮影終了の少なくともいずれか一方に基づいて終了し、前記の特別撮影に移行するため、撮影プレイ前記通常撮影時間内の撮影から前記特別撮影時間の撮影に移行する具体的構成を提供することができる。
【００２０】
つぎに、請求項３に記載の本発明によれば、前記特別撮影時間の設定撮影条件を、ユーザ選択撮影条件の選択範囲外の撮影条件にしたため、前記特別撮影時間の撮影写真が、通常撮影時間内には撮影することができない写真になり、思いがけない撮影内容の写真が確実に得られ、ユーザの満足度が一層向上する。
【発明を実施するための最良の形態】
【００２１】
つぎに、本発明の一実施形態について、図１及び図２を参照して詳述する。
【００２２】
図１は写真シール払出装置１の回路ブロック図、図２は同装置１の撮影プレイの動作説明用のフローチャートである。
【００２３】
（構成）
まず、写真シール払出装置１の構成について、図１を参照して説明する。
【００２４】
この写真シール払出装置１は、例えば、カーテン等の仕切り部材によって撮影プレイを行なう撮影ブース１ａと落書き（編集）プレイを行う落書きブース１ｂとに仕切られる。
【００２５】
そして、撮影ブース１ａにおいては、同ブース１ａに入ったユーザの前方位置に対向するようにメインパネル２が設けられ、このメインパネル２の適当な高さの位置にＣＣＤデジタルカメラ等の撮影カメラ３１とその撮影モニタ３２とからなる撮影ユニット３が高さや向きを調整自在に設けられている。
【００２６】
また、メインパネル２の撮影ユニット３より下方には、液晶ディスプレイ（ＬＣＤ）パネル等からなる画面表示部４及び種々の選択ボタンを配設した選択ボタン部５が設けられている。
【００２７】
さらに、メインパネル２の周部等を含む撮影ブース１ａ内の適当な各個所に、撮影照明機器６の蛍光灯、ストロボ等の種照明機器や、プレイ案内、ＢＧＭ出力等を行なうスピーカ７が配設され、ユーザの背部等に背景用のカーテン８が選択自在に設けられている。
【００２８】
つぎに、落書きブース１ｂにおいては、例えば適当な高さの卓上に落書き対象の写真等を表示する落書きパネル９が設けられ、この落書きパネル９はＬＣＤパネル等の画面表示パネル及びその接触位置検出用のデジタイザ等からなる。
【００２９】
また、落書きパネル９の近傍に落書き用のタッチペンやスタンプ、シールの選択等を行なうための各種操作ボタンが設けられている。
【００３０】
さらに、落書きブース１ｂにはフルカラー式のプリンタ１０も設けられ、このプリンタ１０は落書きの済んだ写真をシール台紙に印刷してシール取出口に排出する。
【００３１】
そして、両ブース１ａ、１ｂの各機器等はコントローラ部１００のいわゆるマイコン制御によって動作する。
【００３２】
このコントローラ部１００は、予め設定されたプログラムを実行するＣＰＵ１０１、このＣＰＵ１０１が実行するプログラム等を保持するＲＯＭ及び各種データを一時記憶するＲＡＭ等からなるメモリ部１０２、各種画像データ等を保存記憶するハードディスク（ＨＤ）装置やレーザディスク装置等の大容量記憶装置１０３、プレイ時間等を計測するタイマ部１０４、コイン投入を検出するコイン投入検出部１０５、撮影制御処理部１０６、落書き制御処理部１０７、印刷出力部１０８等を備える。
【００３３】
そして、撮影制御処理部１０６は、照明機器６の明るさ、スピーカ７のＢＧＭ出力、カーテン８の開閉等の撮影条件を制御する撮影条件制御部１０６ａ及び、メインパネル２の画面表示部４の表示を制御する画面表示制御部１０６ｂ、選択ボタン部５の操作を受け付ける操作入力部１０６ｃ、カメラ３１の撮影を制御してその撮影画像（被写体画像）を取り込む撮影画像入力部１０６ｄ等を有し、撮影プレイの各種制御処理を行なう。
【００３４】
また、落書き制御処理部１０７は、落書きパネル９の表示やタッチペンによる落書き、各種操作ボタンによる落書きのスタンプやシールの選択等を受け付け、落書きプレイの各種制御処理を行なう。
【００３５】
つぎに、コイン投入によって始まる撮影プレイの全時間（全撮影時間）は、従来装置と同様、プログラム設定されて固定されている。
【００３６】
さらに、この発明においては、前記の全撮影時間をＴａとすると、この全撮影時間Ｔａが、時間の経過、撮影回数の少なくともいずれか一方で決められた通常撮影時間Ｔｂと、残りの特別撮影時間Ｔｃ（＝Ｔａ−Ｔｂ）とに区切られる。
【００３７】
なお、全撮影時間Ｔａは例えば予定枚数の撮影に十分な時間に設定される。
【００３８】
また、通常撮影時間Ｔｂは、時間の経過で決められる場合には、例えばユーザの満足感を損ねない程度の所定枚数の撮影所要時間に固定され、撮影回数で決められる場合には、例えば前記の所定枚数の撮影写真が得られる撮影回数の時間であって実際にかかった時間によって長短変化する。
【００３９】
さらに、通常撮影時間Ｔｂは時間の経過と撮影回数とを併用して決めることもでき、この場合は、例えば撮影回数を優先するが、撮影が早く済んでしまいそうなときにには、落書きブース１ｂの占有状況によって時間の経過に切り換えて決める。このようにすると、いわゆるブースの空き待ちが生じないようにすることができる。
【００４０】
そして、通常撮影時間Ｔｂには、ＣＰＵ１０１及び撮影制御処理部１０６が形成する通常撮影機能が動作し、コイン投入に基づく時間制限された撮影プレイの開始により、従来装置の撮影プレイの撮影と同様、選択ボタン部５のボタン操作等によって選択された撮影コースや明るさ等のユーザ選択撮影条件で被写体撮影が行なわれる。
【００４１】
また、残りの特別撮影時間Ｔｃには、ＣＰＵ１０１及び撮影制御処理部１０６が形成する特別撮影機能が動作し、設定した所定撮影条件で被写体撮影が行なわれる。この所定撮影条件は、どのようにもプログラム設定できるが、ユーザに「意外な写真も撮れた」という満足感やいわゆる「お得感」を与えるため、例えば、曜日や週によって変更したり、ユーザが選択した撮影コースに応じて異なる撮影コースの撮影条件に可変したりするように設定することが好ましく、その際、前記のユーザ選択撮影条件の選択範囲外の撮影条件、すなわち、予め用意したユーザが選択できない特別な撮影条件にすることにより、選択した条件での撮影結果と同じような撮影結果になることが確実に避けられて前記の満足感や「お得感」が一層高まる。
【００４２】
（動作）
つぎに、コイン投入に基づく一連のゲーム動作について、撮影プレイを中心に、図２を参照して説明する。
【００４３】
ユーザが所定金額のコインを投入することにより、コントローラ部１００のタイマ部１０４が起動されて一連のプレイ時間（例えば５分間）の経過を計時するとともに、ＣＰＵ１０１が図２の撮影プレイのプログラムを実行し、時間制限された撮影プレイの動作状態になる。
【００４４】
この撮影プレイの動作状態になると、最初に前記の通常撮影機能が動作し、メインパネル２の画面表示部４にゲーム進行・操作の画面が表示され、撮影ブース１ａに入場したユーザに撮影条件の選択を促す。
【００４５】
この撮影条件の選択手順は従来装置の場合と同様であり、メインパネル２の選択ボタン部５のボタン操作等によって階層的に行なわれる。
【００４６】
具体的には、まず、図２のステップＳ１により、撮影条件の大枠を決める撮影コースが選択される。この撮影コースとして、この実施形態においては、「キレイコース」、「テーマコース」、「音楽コース」が用意される。また、図２からも明らかなように、ステップＳ１で選択した撮影コースは後からは変更できない。
【００４７】
つぎに、「キレイコース」が選択されたときには、図２のステップＳ２ａ、Ｓ３ａにより、下層の撮影条件として「明るさ」、「カーテン」が順に選択されてユーザ選択撮影条件が設定され、同様に、「テーマコース」が選択されたときには、ステップＳ２ｂ、Ｓ３ｂにより、下層の撮影条件として「テーマジャンル」、「撮影テーマ」が順に選択されてユーザ選択撮影条件が設定され、さらに、「音楽コース」が選択されたときには、図２のステップＳ２ｃ、Ｓ３ｃにより、下層の撮影条件として「明るさ」、「ＢＧＭ」が順に選択されてユーザ選択撮影条件が設定される。
【００４８】
そして、これらのユーザ選択撮影条件の設定がコントローラ部１００の操作入力部１０６ｃを介してＣＰＵ１０１に取り込まれると、撮影条件制御部１０６ａにより、設定された撮影条件にしたがって照明機器６の明るさの制御、スピーカ７からのＢＧＭ出力、カーテン７の取替え等が行なわれ、選択された撮影条件の撮影環境が整えられる。
【００４９】
つぎに、それらの撮影環境下、ユーザが撮影モニタ３２のモニタ画像を見ながらカメラ３１の撮影方向等を調節した後、ポーズをとって撮影スタートを指令すると、図２のステップＳ４ａ、Ｓ４ｂ、Ｓ４ｃそれぞれにより被写体撮影が行なわれ、撮影画像の写真がコントローラ部１００の撮影画像入力部１０６ｄを介して大容量記憶装置１０３に書き込まれて保持される。
【００５０】
そして、「キレイコース」、「テーマコース」については、一般的な２連射撮影が行なわれて１回の撮影で２枚の撮影画像の写真が撮られ、その撮影が終了する毎に、図２のステップＳ５ａ、Ｓ５ｂにより、ＣＰＵ１０１がタイマ部１０４の計時時間、撮影回数に基いて通常撮影時間Ｔｂの終了か否かを判断し、通常撮影時間Ｔｂ内で撮影可能であれば、ステップＳ５ａ、Ｓ５ｂからステップＳ２ａ、Ｓ２ｂに戻り、ステップＳ２ａ、Ｓ２ｂ、Ｓ３ａ、Ｓ３ｂにより前記の下層の撮影条件の再設定が行なわれた後、ステップＳ４ａ、Ｓ４ｂによりその撮影条件で撮影が行なわれ、時間の経過、撮影回数から通常撮影時間Ｔｂの終了になるまで、２連射撮影の単位でユーザ撮影条件の撮影がくり返される。
【００５１】
このようにすることで、「キレイコース」、「テーマコース」を選択したユーザは、通常撮影時間Ｔｂ内において、それぞれのコースの選択範囲内で撮影条件を変えて写真を撮ることができ、この点での満足が得られる。
【００５２】
そして、通常撮影時間Ｔｂが時間設定されていれば、撮影条件の選択時間等によってその間の撮影枚数が変化し、通常撮影時間Ｔｂが撮影回数で設定されていれば、撮影条件の選択時間等によって残り時間Ｔｃが長短変化する。
【００５３】
一方、「音楽コース」については、ＢＧＭにあわせて躍動変化するユーザを連続的に撮影することが望まれることから、図２のステップＳ４ｃにより、設定した撮影条件で６〜１０連射の撮影を行ない、「キレイコース」、「テーマコース」のような撮影条件の変更を行なうことなく、一度に規定枚数（６〜１０枚）の写真撮影を行なって通常撮影時間Ｔｂの終了になる。
【００５４】
この場合、通常撮影時間Ｔｂに必ず規定枚数の撮影が行なわれ、残りの時間Ｔｃもほぼ一定の時間になる。
【００５５】
そして、いずれの撮影コースにおいても、通常撮影時間Ｔｂが終了すると、図２のステップＳ６ｓでユーザ選択撮影条件の撮影を終了してステップＳ７に移行する。
【００５６】
このとき、前記の通常撮影機能に代えて前記の特別撮影機能が動作し、ＣＰＵ１０１の制御により、メインパネル２の画面表示部４に、引き続き特別撮影機能の撮影（特別撮影）が行なわれる旨が表示されるとともに、設定された所定撮影条件の撮影環境になるように、照明機器６の明るさ、スピーカ７の出力、カーテン８が自動的に制御されて設定され、ステップＳ８によりその特別撮影が開始される。
【００５７】
そして、特別撮影時間Ｔｃが終了するまでその設定状態で連続的に撮影がくり返され、その間に得られた撮影画像も大容量記憶装置１０３に保持される。
【００５８】
さらに、特別撮影時間Ｔｃが終了して全撮影時間Ｔａの終了に達すると、図２のステップＳ９により特別撮影を終了し、つぎのステップＳ１０により、メインパネル２の画面表示部４に、撮影が終了したので落書きプレイに移るように表示し、撮影プレイを終了する。
【００５９】
この場合、特別撮影時間Ｔｃに必ず撮影が行なわれることから、「キレイコース」、「テーマコース」を選択して通常撮影時間Ｔｂにおもうような枚数の撮影が行なえなくても、特別撮影時間Ｔｃの撮影によって撮影枚数が増え、撮影枚数の点からユーザに満足感を与えることができる。また、「音楽コース」を選択したときにも撮影枚数が増えることから、ユーザに同様の満足感を与えることができる。
【００６０】
また、特別撮影で撮影される写真は、ユーザが選択した撮影コース等の撮影条件と異なる撮影条件の写真であり、どの撮影コースを選択したときにも、ユーザは選択した撮影コース以外のコースの撮影も体験して楽しむことが可能であり、その結果、おもいがけない写真を得ることができ、撮影内容の点でもユーザに満足感を与えることができる。
【００６１】
なお、特別撮影の撮影条件を、ユーザ選択撮影条件の選択範囲外の撮影条件にしたときには、特別撮影の撮影写真が、確実に通常撮影時間Ｔｂ内には撮影することができない写真になり、思いがけない撮影内容の写真が確実に得られ、ユーザの満足度が一層向上する。
【００６２】
そして、ユーザが落書きブース１ｂに移って落書きプレイを開始すると、コントローラ部１００のＣＰＵ１０１が「書きプレイ」のプログラムを実行し、その落書き制御処理部１０７の制御に基き、従来装置と同様、大容量記憶装置１０３に保持された各撮影画像の写真が落書きパネル９に表示され、その中から選択された写真にタッチペンや選択ボタンによって落書きの画像編集が施される。
【００６３】
さらに、落書きプレイが終了すると、印刷出力部１０８に接続されたプリンタ１０により、落書きが施された写真の画像が適当な分割数でシール台紙に印刷されて写真シールが形成され、この写真シールが払出されてプレイが終了する。
【００６４】
したがって、この実施形態の写真シール払出装置１の場合、撮影プレイの全撮影時間Ｔａを通常撮影時間Ｔｂと特別撮影時間Ｔｃに区切り、特別撮影時間Ｔｃに、設定した撮影条件で撮影を行なったため、全撮影時間Ｔａを延長したりすることなく、撮影枚数及び撮影内容の両面からユーザに十分な満足感を与えることができる。
【００６５】
そして、特別撮影時間Ｔｃの撮影条件を、通常撮影時間Ｔｂのユーザ選択撮影条件の選択範囲外の撮影条件にすることにより、特別撮影の撮影写真が、確実に通常撮影時間Ｔｂ内には撮影することができない写真になり、思いがけない撮影内容の写真が確実に得られ、ユーザの満足度が一層向上する。
【００６６】
ところで、本発明は上記した実施形態に限定されるものではなく、その趣旨を逸脱しない限りにおいて上述したもの以外に種々の変更を行うことが可能であり、例えば、撮影プレイと落書きプレイとを１ブースで行う写真シール払出装置等の種々のブース構成の写真シール払出装置にも本発明を同様に適用することができる。
【００６７】
また、撮影時間Ｔａ〜Ｔｃはユーザの満足度等を考慮して適当に設定してよく、さらに、ユーザ選択撮影条件の撮影コース等の種類や数等がどのようであってもよいのも勿論である。
【図面の簡単な説明】
【００６８】
【図１】この発明の１実施形態の回路ブロック図である。
【図２】この発明の１実施形態の撮影プレイの動作説明用のフローチャートである。
【符号の説明】
【００６９】
１    写真シール払出装置
１００    コントローラ部
１０１    ＣＰＵ
１０６    撮影制御処理部
【図１】
2006317655.tif 000003
【図２】
2006317655.tif 000004